(57)【要約】インターレースされた光ビームを使用する光ビームディスプレイは、垂直及び水平の次元を有する表示スクリーン（２０６）と、複数本の光ビームのソース（２００，３００）と、上記表示スクリーン（２０６）と光ビームソースとの間に複数の反射小面を有する可動の反射器（３２）を含む光学路とを備えている。可動の反射器（３２）は、複数の光ビーム（２０２，３０２）をその可動反射器（３２）の１つ以上の小面を経て表示スクリーン（２０６）へ案内して、ディスプレイの複数の異なる走査線を同時に照射し、この同時照射の走査線は、複数の非照射走査線で離間される。上記光ビームを垂直方向にシフトして表示スクリーンの異なる走査線を照射するために光学的機械的素子（２１６，３１６）が設けられる。
2004518168.tif 000002
【特許請求の範囲】
【請求項１】
垂直及び水平の次元を有する表示スクリーンと、
複数本の光ビームのソースと、
上記表示スクリーンと光ビームソースとの間に複数の反射小面を有する可動の反射器を含む光学路であって、上記複数の光ビームをその可動反射器の１つ以上の小面を経て表示スクリーンへ案内して、ディスプレイの複数の異なる走査線を同時に照射し、この同時照射の走査線が複数の非照射走査線で離間されるような光学路と、
上記光ビームを垂直方向にシフトして表示スクリーンの異なる走査線を照射するための光学的機械的素子と、
を備えた光ビームディスプレイ。
【請求項２】
上記可動反射器は、回転可能な多角形であり、そして上記光ビームディスプレイは、更に、上記多角形を所定の角速度で回転するモータを備えていて、次々の小面を光学路へもっていって、複数本の光ビームを遮るようにする請求項１に記載の光ビームディスプレイ。
【請求項３】
上記光ビームソースは、複数の行と少なくとも１つの列より成るアレーに構成された第１の複数の発光ダイオードを含む請求項１に記載の光ビームディスプレイ。
【請求項４】
上記アレーは、３列を有し、そして各列は、原色を有する光ビームソースに対応する請求項３に記載の光ビームディスプレイ。
【請求項５】
上記光ビームソースは、複数の行と少なくとも１つの列より成るアレーに構成された第２の複数の発光ダイオードを含み、そして上記光ビームディスプレイは、更に、上記第１及び第２の複数のダイオードを同時にアクチベートするための制御手段を備え、更に、上記光学路は、上記同時にアクチベートされた複数の光ビームを、上記可動反射器の第１及び第２の各小面を経て表示スクリーンへ向けて、ディスプレイの異なる水平領域を同時に照射する請求項３に記載の光ビームディスプレイ。
【請求項６】
上記光ビームソースは、赤、青及び緑の半導体ダイオードのアレーより成る請求項５に記載の光ビームディスプレイ。
【請求項７】
上記光学的機械的素子は、第２の可動反射器を含む請求項１に記載の光ビームディスプレイ。
【請求項８】
上記光学的機械的素子は、更に、上記第２の可動反射器に接続された検流計を含む請求項７に記載の光ビームディスプレイ。
【請求項９】
上記光学的機械的素子は、圧電装置を含む請求項１に記載の光ビームディスプレイ。
【請求項１０】
表示情報の複数の水平線を含むビデオデータを受信するための入力と、
表示スクリーンと、
複数の行と少なくとも１つの列より成るアレーに構成された第１の複数の光ビームソースと、
複数の行と少なくとも１つの列より成るアレーに構成された第２の複数の光ビームソースと、
上記ビデオデータの複数の水平線を記憶するためのメモリと、
上記メモリに記憶された複数の水平線からのビデオデータに基づいて上記光ビームソースを同時にアクチベートするための制御回路であって、そのアクチベートされた水平線の各々が、複数の非アクチベート水平線により離間されるようにする制御回路と、
上記表示スクリーンと第１及び第２の複数の光ビームソースとの間に各々ある第１及び第２の光学路であって、複数の反射小面を有する第１の可動反射器と、各経路に対する第２の可動反射器とを備えていて、上記同時にアクチベートされた複数のビームを表示スクリーンに向け、第１の可動反射器は、第１及び第２の複数の光ビームを水平に走査し、そして各経路の第２の可動反射器は、第１及び第２の複数の光ビームを垂直に走査して、全ての水平線を逐次に走査するような光学路と、
を備えた光ビームディスプレイ。
【請求項１１】
上記第１の可動反射器は、回転可能な多角形であり、そして上記光ビームディスプレイは、更に、上記多角形を所定の角速度で回転するためのモータを備えていて、各小面を光学路へもっていって、複数本の光ビームを遮るようにする請求項１０に記載の光ビームディスプレイ。
【請求項１２】
上記光ビームソースの各アレーは、光の異なる色に対応する複数の列を有する請求項１０に記載の光ビームディスプレイ。
【請求項１３】
各同時に走査される水平線は、８本の線だけ離間される請求項１０に記載の光ビームディスプレイ。
【請求項１４】
上記複数の光ビームソースは、発光ダイオードより成る請求項１０に記載の光ビームディスプレイ。
【請求項１５】
各アレーは、３２行の発光ダイオードより成り、そして３２本の線が水平に同時に走査される請求項１０に記載の光ビームディスプレイ。
【請求項１６】
複数の光ビームを使用して表示スクリーンに情報を表示する方法であって、
複数の光ビームを表示スクリーンに向け、
複数の光ビームを第１方向に走査して、表示スクリーン上の第１の複数の平行な走査線を同時にトレースし、この第１の複数の平行な走査線は、第２方向に離間されており、
複数の光ビームを第２方向にシフトし、
複数の光ビームを第１方向に走査して、表示スクリーン上の第２の複数の平行な走査線を同時にトレースし、この第２の複数の平行な走査線は、第２方向に離間され、そして上記第１の複数の平行な走査線とインターレースされ、そして
上記シフト及び走査を繰り返して、表示スクリーン上の第３の複数の平行な走査線をトレースし、この第３の複数の平行な走査線は、第２方向に離間され、そして上記第１及び第２の複数の平行な走査線とインターレースされる、
という段階を備えた方法。
【請求項１７】
上記表示スクリーンは、ほぼ長方形の形状を有し、そして上記第１方向は、上記スクリーンの水平次元に対応し、そして上記第２方向は、上記スクリーンの垂直次元に対応する請求項１６に記載の方法。
【請求項１８】
上記シフト及び走査を複数回逐次に繰り返すことにより全表示スクリーンが照射される請求項１７に記載の方法。
【請求項１９】
上記平行な走査線は、３２本の走査線より成る請求項１７に記載の方法。
【請求項２０】
上記平行な走査線は、２つの水平パネルに別々に設けられる請求項１８に記載の方法。
【発明の詳細な説明】
【０００１】
【関連出願】
本出願は、参考としてここに援用する２０００年１０月２７日に出願したプロビジョナル特許出願第６０／２４４，０７５号に対する３５ＵＳＣ１１９（ｅ）のもとでの優先権を請求するものである。
【技術分野】
本発明は、ビデオ情報を表示するディスプレイ装置及び方法に係る。より詳細には、本発明は、光ビームを走査してビデオ情報を表示する光ビームディスプレイ装置及び方法に係る。
【０００２】
【背景技術】
高解像度ディスプレイは、コンピュータモニタ、ＨＤＴＶ及びシミュレータを含む種々の用途を有する。このような用途で最初に考慮すべきことは、解像度、最大ビュー面積、コスト及び信頼性である。ＣＲＴディスプレイ、後方投影及び前方投影ディスプレイ、プラズマディスプレイ及びＬＣＤを含む多数の解決策が利用されているが、上述した全ての所望特性を満足に与えることのできるものは皆無である。コントロールパネルのディスプレイ、乗物及び航空機のオンボードディスプレイのような他のディスプレイ用途では、解像度は、輝度、コンパクトサイズ及び信頼性より重要度が低い。
【０００３】
発光ダイオードやレーザビームディスプレイのような光ビームに基づくディスプレイは、潜在的に、上述した両形式のディスプレイに対して多数の効果を発揮し得るが、このようなディスプレイは、広く利用されていない。これは、主として、必要な精度で表示スクリーン上に光ビームを走査する能力に制約があるためである。レーザビームを走査する１つの従来の解決策は、回転ミラーを使用し、このミラーが回転するときに直線的方向にレーザビームを走査することである。典型的に、ミラーは、各辺が直線方向におけるレーザビームの１つの走査長さに対応する多角形の形状とされる。ビームの垂直方向のシフトは、典型的に、第２のミラーによって与えられ、ディスプレイ用途に必要とされる二次元走査が与えられる。
【０００４】
このような回転多角形レーザビームＸＹスキャナの一例が、図１に示されている。図１に示された公知のレーザビーム走査装置は、多角形ミラー１を使用し、このミラーは、レーザ２によって発生されたレーザビームを受け取り、そしてそのレーザビームを、多角形１が回転するときに走査方向Ｘに偏向する。第２ミラー３は、ビームをＹ方向に垂直にシフトして、連続的な水平線を走査するように構成される。従って、２つのミラーは、各々、全Ｘ方向及び全Ｙ方向に走査する。ディスプレイのサイズ及びディスプレイの解像度が増加するにつれて、２つの可動ミラーの必要な整列精度を維持することが非常に困難になる。種々の形式の歪が生じ、ＨＤＴＶのような高解像度の用途では受け入れられない。これらのファクタは、商業的に受け入れられる走査レーザ又は光ビームディスプレイを提供するために重大な問題を引き起こす。
【０００５】
従って、水平及び垂直の両方向に正確な走査を与えることのできる走査光ビームディスプレイが現在要望される。更に、このようなディスプレイで、そのコストを不当に増加することのないディスプレイが現在要望される。
【０００６】
【発明の開示】
本発明は、第１の特徴において、垂直及び水平の次元を有する表示スクリーンと、複数本の光ビームのソースと、上記表示スクリーンと光ビームソースとの間に複数の反射小面を有する可動の反射器を含む光学路とを備えた光ビームディスプレイを提供する。上記可動の反射器は、複数本の光ビームをその可動反射器の１つ以上の小面を経て表示スクリーンへ案内して、ディスプレイの複数の異なる走査線を同時に照射し、この同時照射の走査線は、複数の非照射の走査線で離間される。光ビームを垂直方向にシフトして表示スクリーンの異なる走査線を照射するための光学的機械的素子が設けられる。水平走査線のこのインターレースは、垂直シフトの量を最小にして、全表示エリアを非常に正確に走査できるようにする。
【０００７】
好ましくは、可動反射器は、回転可能な多角形であり、そして光ビームディスプレイは、更に、この多角形を所定の角速度で回転するモータを備え、次々の小面を光学路へもっていって、複数の光ビームを遮るようにする。光ビームソースは、好ましくは、複数の行と少なくとも１つの列より成るアレーに構成された第１の複数の発光ダイオードを含む。このアレーは、３列を有し、そして各列は、原色を有する光ビームソースに対応する。表示スクリーン上で照射される２つのパネルを使用する１つの好ましい実施形態において、光ビームソースは、複数の行と少なくとも１つの列より成るアレーに構成された第２の複数の発光ダイオードを更に含み、そして上記光学路は、複数の光ビームを、可動反射器の第１及び第２の各小面を経て表示スクリーンへ向けて、ディスプレイの異なる水平領域、即ちパネルを同時に照射する。光学的機械的素子は、第２の可動反射器に接続された検流計又は圧電装置を含む。
【０００８】
本発明は、更に別の特徴において、表示情報の複数の水平線を含むビデオデータを受信するための入力と、表示スクリーンと、複数の行と少なくとも１つの列より成るアレーに構成された第１の複数の光ビームソースと、複数の行と少なくとも１つの列より成るアレーに構成された第２の複数の光ビームソースとを備えた光ビームディスプレイを提供する。メモリは、ビデオデータの複数の水平線を記憶し、そして制御回路は、このメモリに記憶された複数の水平線からのビデオデータに基づいて上記光ビームソースを同時にアクチベートし、そのアクチベートされた水平線の各々は、複数の非アクチベート水平線により離間される。表示スクリーンと第１及び第２の複数の光ビームソースとの間には各々第１及び第２の光学路が設けられ、その各々は、複数の反射小面を有する第１の可動反射器と、第２の可動反射器とを備えていて、同時にアクチベートされた複数のビームを表示スクリーンに向ける。第１の可動反射器は、２つの光学路に対して共有され、そして第１及び第２の複数の光ビームを水平に走査する。各経路の第２の可動反射器は、第１及び第２の複数の光ビームを垂直に走査し、全ての水平線を逐次に走査する。
【０００９】
本発明は、更に別の特徴において、複数の光ビームを使用して表示スクリーンに情報を表示する方法を提供する。この方法は、複数の光ビームを表示スクリーンに向け、そして複数の光ビームを第１方向に走査して表示スクリーン上の第１の複数の平行な走査線を同時にトレースする段階を備え、この第１の複数の平行な走査線は、第２方向に離間されている。例えば、３２本の平行な走査線が８本の線で離間されたものが設けられる。上記方法は、更に、複数の光ビームを第２方向にシフトし、そして再び、複数の光ビームを第１方向に走査して表示スクリーン上の第２の複数の平行な走査線を同時にトレースする段階を備え、この第２の複数の平行な走査線は、第２方向に離間され、そして第１の複数の平行な走査線とインターレースされる。上記方法は、上記シフト及び走査を繰り返して表示スクリーン上の第３の複数の平行な走査線をトレースする段階を備え、この第３の複数の平行な走査線は、第２方向に離間され、そして上記第１及び第２の複数の平行な走査線とインターレースされる。上記シフト及び走査を複数回逐次繰り返すことにより、全表示スクリーンが照射される。例えば、８本の走査線の間隔では、シフト及び走査が８回行われる。表示スクリーンは、ほぼ長方形の形状を有し、そして上記第１方向は、スクリーンの水平次元に対応し、そして上記第２方向は、スクリーンの垂直次元に対応する。水平方向は、個別のビームソースにより走査されるパネルに分割できる。
【００１０】
【発明を実施するための最良の形態】
本発明の更に別の特徴は、添付図面を参照した以下の詳細な説明から明らかとなろう。
図２Ａ及び２Ｂを参照すれば、本発明の光ビームディスプレイの好ましい実施形態が、その実施形態の基本的構造及び電子回路を示す概略図で示されている。構造部品及び光学路の寸法は、図２Ｂでは正しいスケールで示されておらず、光学路の特定の寸法及びレイアウトは、特定の用途に依存する。光ビームソース、多小面の多角形及び他の光学系、並びにディスプレイ電子回路は、参考としてここに援用する１９９８年１０月８日に出願された米国特許出願第０９／１６９，１６３号、現在では２００１年１月１６日に発行された米国特許第６，１７５，４４０号の教示を使用することができる。又、参考としてここに援用する１９９９年１２月２８日に発行された米国特許第６，００８，９２５号、１９９７年７月８日に発行された米国特許第５，６４６，７６６号、及び１９９２年１１月２４日に発行された米国特許第５，１６６，９４４号の教示を使用することもできる。従って、以下の説明は、ディスプレイの全ての観点について詳細に述べるものではなく、付加的な詳細については、上記特許を参照されたい。
【００１１】
図２Ａ及び２Ｂのディスプレイは、複数の光ビーム２０２の第１ソース２００を備え、これら複数のビームは、以下に詳細に述べるように、異なる周波数及び色のビームを含み、そして光源２００と表示スクリーン２０６との間に光ビームのための第１光学路を備えている。複数のビーム３０２の第２ソース３００も、表示スクリーン２０６へのほぼ平行な第２光学路と共に設けられる。ビームのアクチベーションは、以下に詳細に述べるように、ソース１００からのビデオデータに応答して制御電子回路２２０によって制御される。ここに示す好ましい実施形態の一例として、光源２００、３００は、各々、複数の行と少なくとも１つの列を有する発光ダイオードの長方形アレーより成る。モノクロディスプレイは、各ダイオードアレーに対して単一の列を有し、一方、カラーディスプレイは、３列以上を有する。特に、輝度を正規化するために付加的な列を設けることができる。例えば、２つの緑の列を設け、緑のダイオードが赤及び青のダイオードより低輝度の光ビームを与えるようにすることができる。従って、カラーアレーは、各行に３原色を与える。行の数は、各ダイオードアレーにより表示スクリーン２０６上でトレースされる平行な走査線の数に対応する。例えば、３２行のダイオードが使用される。従って、各２次元ダイオードアレー２００、３００は、１ないし９６本の個別の光ビーム２０２、３０２を同時に与えることができる（以下に述べる走査パターンを与える制御電子回路２２０の制御のもとで）。供給ヘッド２００、３００当りの光源（例えばＬＥＤ又はファイバ）の数は、解像度の要求に基づいて変化する。複数の光ビームの他のソースを使用することもできる。例えば、ＡＯＭ変調器を使用して単一のビームを複数の別々に変調されたビームに分割し、複数のビームのソースを構成することができる。ＡＯＭ変調器を使用して複数のビームを形成する解決策は、参考としてここに援用する米国特許第５，６４６，７６６号に開示されている。
【００１２】
光ビームディスプレイは、水平走査のための第１の可動反射器を備え、これは、多小面付きの多角形反射器３２より成るのが好ましい。多角形における小面の数は、同時に走査される水平線の間隔に対応するが、解像度の要求に応じて変化し得る。多角形の反射器３２は、好ましくは、この反射器３２を高速回転させる変速モータに接続され、反射器の周囲の次々の平らな反射小面３４が光ビームと反射接触状態にされる。反射器３２の回転速度は、エンコーダ（図示せず）によって監視され、該エンコーダは、次いで、モータ制御回路３６に信号を供給し、そして該制御回路は、制御電子回路２２０に接続されている。モータ制御回路、電源及び角速度制御フィードバックは、上記米国特許第５，６４６，７６６号の教示を使用する。多角形の多小面付き反射器３２が現在のところ好ましいが、他の形式の可動の多面反射器を使用して、平らな反射面を光ビームと連続的に反射接触できることも明らかであろう。このような別の反射器は、直線及び回転モータを含む多数の種々様々な電気機械的アクチュエータシステムによって操作することができ、特定の用途に対し小面の所望速度を与えるように特定のアクチュエータシステムが選択される。各組のビーム２０２、３０２に対する垂直の光学的−機械的装置即ち素子２１６、３１６は、回路３８及び制御電子装置２２０の制御のもとでビームを垂直方向にシフトさせる。垂直の光学的−機械的装置即ち素子２１６、３１６は、ビーム２０２、３０２の各々に対して第２の可動反射器を構成する。例えば、検流計で作動される反射器を使用することができる。既知の圧電素子を含む他の光学的−機械的装置又は素子を使用することもできる。別の実施形態では、ビームの垂直方向シフトは、反射器３２の小面を傾斜させることにより行われる。参考としてここに取り上げる ’４４０特許及び ’０７５特許出願の開示からこのような実施形態の適当な変更が明らかとなろう。
【００１３】
各光ビームソース２００、３００からのビーム２０２、３０２の光学路は、光ビームが回転多角形３２で遮られて、多角形が回転するときに表示スクリーン２０６を横切る所望の走査範囲を与えると共に、各光学路に対して光学的−機械的素子２１６、３１６を使用して線の垂直方向変位を与えるように構成される。光学路は、特定の用途に依存し、そして図示されたように、光ビーム２０２、３０２に対して各々設けられたコリメート光学系２０８、３０８及び投影光学系２１０、３１０を備え、表示スクリーン２０６に所望のスポットサイズでビームを収束させる。又、光学路は、共通（又は個別）の反射光学素子２１２を使用して、経路長さを増加することができる。コリメート光学系２０８、３０８及び投影光学系２１０、３１０の各々は、１つ以上のレンズ及び１つ以上の反射器を備えている。ここに示す特定の実施形態では、第１ビーム路に対するコリメート光学系は、ミラー２２２、レンズ２２４、レンズ２２６、レンズ２２８、ミラー２３０及びレンズ２３２を含む。第２ビーム路に対するコリメート光学系は、ミラー３２２、レンズ３２４、レンズ３２６、レンズ３２８、ミラー３３０及びレンズ３３２を含む。コリメート光学系２０８、３０８は、各々、第１の垂直の光学的−機械的素子２１６及び第２の光学的−機械的素子３１６へコリメートされたビームを与え、これらは、上述した可動反射器を含む。第１ビーム路のビームは、次いで、多角形３２を経て投影光学系２１０へ送られ、これは、レンズ２３６及びミラー２３８より成り、これらは、ビームをミラー２１２へ、次いで、表示スクリーン２０６へ送る。第２ビーム路のビームは、次いで、多角形３２の異なる小面を経て投影光学系３１０へ送られ、これは、レンズ３３６及びミラー３３８より成り、これらは、ビームをミラー２１２へ、次いで、表示スクリーン２０６へ送る。
【００１４】
図２Ｂに示された光学路及び光学素子に対して種々の変更がなされ得ることが明らかであろう。例えば、光学路の長さを増加し、又は幾何学形状を変更して、限定スペース用途での走査範囲を最大にするように、付加的な光学素子を設けてもよい。或いは、光学路は、適当な幾何学形状のビームソース２００、３００、反射器３２及びスクリーン２０６を許す用途では、反射素子２１２のような経路延長素子を必要としなくてもよい。同様に、特定用途に対する所望のスポットサイズを与えるように、付加的な収束又はコリメート光学素子を設けてもよい。他の用途では、各経路における全組のビームより少ないビームのグループに対して個々の光学素子を組み合わせてもよい。例えば、１行のダイオードアレーにおける全ダイオードが、１組の光学的コリメート素子により収束されてもよい。更に別の実施形態では、ダイオードアレー２００、３００から放射される光ビーム自体により所望のスポットサイズ及び解像度を与えることができる場合には、収束素子を省くことができる。次いで、スクリーン２０６は、反射性スクリーンでも透過性スクリーンでもよいが、現在では、高輝度が与えられることから、透過性拡散スクリーンが好ましい。
【００１５】
更に、図２Ａ及び２Ｂ、そして１つの垂直位置における走査パターンを示す図３に概略的に示されたように、光学路は、回転反射器３２の各小面３４に複数の光ビーム２０２、３０２を同時に与えて、スクリーン２０６の２つのパネルを照射する。特に、複数のビーム２０２は、第１の小面を経てディスプレイ２０６の第１パネル即ち区分２４０の各スポット即ちピクセルへ同時に向けられる。次いで、複数のビーム３０２は、第２の小面を経てディスプレイ２０６の第２パネル即ち区分３４０の異なる組のピクセルへ同時に向けられる。継ぎ目のない像を形成するために、重畳領域２４２が設けられる。光源２００、３００からの複数のビームが単一のピクセルを同時に照射してもよい。特に、カラーディスプレイでは、１行のダイオードアレーにおける３つのダイオード全部が単一のピクセルを同時に照射することができる。モノクロディスプレイの用途でも、複数のビームが単一ピクセルにおいて合成されて輝度の増加を与えることができる。複数のビームを１つのピクセルへとこのように合成することは、図３に一般的に示されたビームがディスプレイ２０６へ向けられることによって暗示され、その各々は、異なる周波数又はカラーの複数の個別の成分ビームを含むのが好ましい。ビーム２０２、３０２がスクリーン２０６上のビデオデータをトレースする特定の仕方が図４Ａないし４Ｈに示されている。
【００１６】
図４Ａないし４Ｈは、ディスプレイによって与えられる光ビーム走査パターン及び走査方法を逐次に示す。各小面は、全垂直フィールドの一部分を走査する（ここに示す例では、小面当り３２本の線が８本の水平線で均一に離間される）。図４Ａないし４Ｈの各々は、新たな小面で走査される複数の水平走査線（例えば、図示された３２本）を各々含む新たな垂直走査位置を表わしている。これらの線の垂直方向変位は、各パネル２４０、３４０に対して各光学的−機械的素子２１６、３１６を使用して行われる。図示された８線の間隔では、垂直方向のシフトは、８本の線しかカバーしない。制御電子回路２２０のメモリは、全垂直表示に対しビデオデータの複数の水平線を記憶する。制御電子装置２２０の制御回路は、所与の垂直位置に対しメモリに記憶された複数の水平線からのビデオデータに基づいて光ビームソースを同時にアクチベートし、各アクチベートされた水平線は、図４Ａないし４Ｈの各々に示されたように、アクチベートされない複数の水平線により離間される。全表示スクリーンは、図４Ａないし４Ｈに示すように、垂直シフト及び水平走査を複数回逐次に繰り返すことにより照射される。即ち、図４Ａないし４Ｈは、全垂直表示情報を累積的に表わす。この新たな走査パターンの利点は、光学的−機械的素子２１６、３１６、例えば、検流計により必要とされる移動量が非常に僅かで、水平線を非常に直線的にできることである。図示された同時に走査される水平線の間隔（即ちｎ＝８）、及び同時に走査される水平線の本数（即ち３２）の選択は、単なる一例に過ぎず、これらの数値は、特定の表示用途に対して変更できることが明らかであろう。
【００１７】
これら走査の利点は、その幾つか又は全部を他の用途でも得ることができる。それ故、ここに述べたインターレース式ビーム走査光学系及び走査パターンは、光ビームの正確な走査を必要とする、ディスプレイ以外の用途にも使用できる。
以上、特定の実施形態及び特定の動作モードに関連して本発明を詳細に説明したが、それらは単なる例示に過ぎず、本発明の範囲内で多数の異なる実施が可能であることが明らかであろう。従って、上記の詳細な説明は、本発明をこれに限定するものでないことを理解されたい。
【図面の簡単な説明】
【図１】
公知のレーザ走査装置の概略上面図である。
【図２Ａ】
本発明の好ましい実施形態に基づく光ビームディスプレイの概略図である。
【図２Ｂ】
本発明の好ましい実施形態に基づく光ビームディスプレイの概略図である。
【図３】
本発明の光ビームディスプレイの動作に基づく走査パターンを概略的に示す図である。
【図４Ａ】
本発明の光ビームディスプレイの好ましい動作モードに基づき与えられた走査パターンを概略的に示す図である。
【図４Ｂ】
本発明の光ビームディスプレイの好ましい動作モードに基づき与えられた走査パターンを概略的に示す図である。
【図４Ｃ】
本発明の光ビームディスプレイの好ましい動作モードに基づき与えられた走査パターンを概略的に示す図である。
【図４Ｄ】
本発明の光ビームディスプレイの好ましい動作モードに基づき与えられた走査パターンを概略的に示す図である。
【図４Ｅ】
本発明の光ビームディスプレイの好ましい動作モードに基づき与えられた走査パターンを概略的に示す図である。
【図４Ｆ】
本発明の光ビームディスプレイの好ましい動作モードに基づき与えられた走査パターンを概略的に示す図である。
【図４Ｇ】
本発明の光ビームディスプレイの好ましい動作モードに基づき与えられた走査パターンを概略的に示す図である。
【図４Ｈ】
本発明の光ビームディスプレイの好ましい動作モードに基づき与えられた走査パターンを概略的に示す図である。
【図１】
2004518168.tif 000003
【図２Ａ】
2004518168.tif 000004
【国際公開パンフレット】
2004518168.tif 000005
2004518168.tif 000006
2004518168.tif 000007
2004518168.tif 000008
2004518168.tif 000009
2004518168.tif 000010
2004518168.tif 000011
2004518168.tif 000012
2004518168.tif 000013
2004518168.tif 000014
2004518168.tif 000015
2004518168.tif 000016
2004518168.tif 000017
2004518168.tif 000018
2004518168.tif 000019
2004518168.tif 000020
2004518168.tif 000021
2004518168.tif 000022
2004518168.tif 000023
2004518168.tif 000024
2004518168.tif 000025
2004518168.tif 000026
【国際公開パンフレット（コレクトバージョン）】
2004518168.tif 000027
2004518168.tif 000028
【国際調査報告】
2004518168.tif 000029
2004518168.tif 000030